(57)【要約】【課題】外箱１０から内箱２０を引き出すことによって、内箱内の収納商品Ａがせり上がるようにして、内箱を引き出して商品を見た時の感動及び高級感を醸し出し得る新規な組箱を提供する。【解決手段】四角筒状で筒軸方向後面が閉塞され、前面が開口となった外箱１０と、その外箱内に前記開口から前記筒軸方向出没可能に納めた上面開口の四角状の内箱２０と、前記内箱２０内の前側に設けた受け座３０と、内箱２０内の後側に固定した四角箱状起伏部材４０と、起伏部材４０から外箱１０の後壁に固定されたテープ状樹脂フィルム５０とを有する構成の組箱Ｐである。商品Ａが水平状態に内箱内に包装された状態から、摘み片３６でもって内箱を外箱から引き出すと、その内箱の引き出しにつれて樹脂フィルム５０が引かれ、起伏部材４０がその前面下縁ａを支点として上向きに揺動（起立）する。この起立に伴って商品Ａは上向き傾斜状態となる。この動きは、内箱２０を引き出した者に迫ってくるため、その驚きとともに、その商品Ａの高級感を醸し出す。【選択図】図１２
2020050440.tif 000002
【特許請求の範囲】
【請求項１】
四角筒状で筒軸方向一面が閉塞され、他面が開口となった外箱（１０、１１０、２１０）と、その外箱内に前記開口から前記筒軸方向出没可能に納めた上面開口の四角状の内箱（２０、１２０、２２０）と、前記内箱内の底面に設けた起伏部材（４０、１４０、２４０）と、前記内箱の後壁に設けた案内孔（５２）と、前記起伏部材から前記案内孔（５２）を介して外箱の後壁に固定された可撓性材（５０）とを有し、
上記起伏部材に商品（Ａ）が設けられて、上記内箱を外箱から引き出すと、上記可撓性材でもって起伏部材が起伏する組箱
【請求項２】
上記起伏部材（４０）は四角箱体で、その前面壁（４１）又は後面壁（４６）の下縁（ａ）で上下方向に起伏自在に固定され、上記可撓性材（５０）は上記外箱（１０）の後壁に固定され、
上記内箱（２０）を外箱（１０）から引き出すと、上記可撓性材（５０）でもって起伏部材（４０）が引かれて上記下縁（ａ）を支点として起立し、その起立に伴って商品（Ａ）が斜め上方に持ちあげられることを特徴とする請求項１に記載の組箱。
【請求項３】
上記商品（Ａ）が棒状であり、上記起伏部材（４０）は、その前面壁（４１）でもって前記棒状商品（Ａ）の後部をその軸心を不動に支持し、
上記内箱（２０）内の前側に受け座（３０）を設け、その受け座（３０）は、上記棒状商品（Ａ）の前部を接離自在に支持する請求項２に記載の組箱。
【請求項４】
上記受け座（３０）は、内箱（２０）の底面に固定された基板（３１）と、その基板前縁から斜め上方に立ち上がった支持板（３２）と、その支持板（３２）の上縁から内箱（２０）の底面に至る支え板（３３）とからなり、前記支持板（３２）に棒状商品（Ａ）の前部の受け孔（３８）が形成されている請求項３に記載の組箱。
【請求項５】
上記起伏部材（４０）は、側面台形の四角箱体であって、その底板（４２）の前縁が内箱（２０）の内底面に固定されて、前面壁（４１）に棒状商品（Ａ）の後部の支持孔（４１ａ）が形成されている請求項２乃至４の何れか一つに記載の組箱。
【請求項６】
上記起伏部材（１４０）は、内箱（１２０）の底面前側固定点（ａ）で上下方向に起伏自在となっており、上記可撓部材（５０）は、外箱（１１０）の固定点から、上記案内孔（５２）を通って内箱（１２０）内に至り、前記起伏部材（１４０）の内箱（１２０）の底面前側固定点（ａ）より前側の内箱の透孔（１５５）から起伏部材（１４０）の前壁（１９６）に固定されている請求項１に記載の組箱。
【請求項７】
上記起伏部材（２４０）は、昇降板（２４４）の両側端に起立片（２４２ａ、２４２ｂ）が上記内箱（２２０）内底面に向かってそれぞれ設けられて、その両起立片（２４２ａ、２４２ｂ）の先端は前記内箱（２２０）の内底面に固定されておており、
上記可撓性材（５０）は、外箱（１１０）の固定点から上記案内孔（５２）を貫通した後、前記昇降板（２４４）又は起立片（２４２ａ、２４２ｂ）に至って固定されており、
上記内箱（２２０）が外箱（２１０）引き出されると、上記可撓性材（５０）が外箱（２１０）側に引かれ、その引かれに伴って起伏部材（２４０）の両起立片（２４２ａ、２４２ｂ）が起立し、上記昇降板（２４４）が両側端の起立片（２４２ａ、２４２ｂ）の起立に伴い上昇することを特徴とする請求項１に記載の組箱。
【請求項８】
上記可撓性材がテープ状樹脂フィルム（５０）からなる請求項１乃至７の何れか一つに記載の組箱。
【発明の詳細な説明】
【技術分野】
【０００１】
この発明は、四角筒状で筒軸方向一面が閉塞され、他面が開口となった外箱と、その外箱内に前記開口から出没可能に納めた上面開口の四角状の内箱と、からなり、外箱から内箱を引き出すと、内箱内の収納商品がせり上がる組箱に関するものである。
【背景技術】
【０００２】
組箱には外箱内にさらに内箱を納め、その両箱に蓋を被せているものがあり、この組箱は高級感を醸し出し、化粧品等の詰め合わせ用包装箱等として使用されている。
この組箱において、展示時や蓋を開けた時（開放時）、内箱を斜めに持ち上げたり、そのまま持ち上げたりすると、その内箱に納めた商品が見やすく、高級感が増す。
このため、出願人は、蓋と内箱とをその動作に関連性を持たせて、蓋を開けた時の感動及び高級感を醸し出し得るようにした発明を提案した（特許文献１、２）。また、蓋の開放に伴い、テープを介して内箱がせり上がるようにした組箱も提案されている（特許文献３）。
【先行技術文献】
【特許文献】
【０００３】
【特許文献１】特開２０１６−２６９５９号公報
【特許文献２】特許第６２１１７３０号公報
【特許文献３】仏国特許発明第０８２２９７８号公報
【発明の概要】
【発明が解決しようとする課題】
【０００４】
上記特許文献１、２記載の組箱は、それなりに好評を得ているが、さらに商品価値を上げる別構成の組箱を要求された。さらに、何れの技術も、蓋の開放に伴って内箱をせり上げるものであり、外箱から内箱を引き出すことによって、内箱内の収納商品がせり上がるものではない。
この発明は、上記要求に応えるべく、外箱から内箱を引き出すことによって、内箱内の収納商品がせり上がるようにして、商品を見た時の感動及び高級感を醸し出し得る新規な組箱を提供することを課題とする。
【課題を解決するための手段】
【０００５】
上記課題を達成するため、この発明は、四角筒状で筒軸方向一面が閉塞され、他面が開口となった外箱と、その外箱内に前記開口から前記筒軸方向出没可能に納めた上面開口の四角状の内箱と、前記内箱内の底面に設けた起伏部材と、前記内箱の後壁に設けた案内孔と、前記起伏部材から前記案内孔を介して外箱の後壁に固定された可撓性材とを有し、前記起伏部材に商品が設けられて、内箱を外箱から引き出すと、可撓性材でもって起伏部材が起伏する構成の組箱を採用したのである。
【０００６】
この構成において、上記起伏部材は四角箱体で、その前面壁又は後面壁の下縁で上下方向に起伏自在に固定され、上記可撓性材上記外箱の後壁に固定され、内箱を外箱から引き出すと、可撓性材でもって起伏部材が引かれて前記下縁を支点として起立し、その起立に伴って商品が斜め上方に持ちあげられる構成とすることができる。
このように構成すると、起伏部材は、外箱側から引き出し方向に上向き傾斜した状態にせり上がり、それに伴って、起伏部材に設けた商品も、同様に、上向き傾斜した状態にせり上がる。
【０００７】
また、この構成において、商品が棒状の場合、上記起伏部材は、その前面壁でもって棒状商品の後部をその軸心を不動に支持し、内箱内の前側に受け座を設け、その受け座は、棒状商品の前部を接離自在に支持する構成とすれば、さらに、ユニークな組箱となる。なお、前記「軸心を不動に支持する」とは、棒状商品が斜め上方に持ち上がる程度の不動の支持を言い、全く軸心が動かないように支持する意ではない。
このユニークな構成において、上記受け座は、内箱の底面に固定された基板と、その基板前縁から斜め上方に立ち上がった支持板と、その支持板の上縁から内箱の底面に至る支え板とからなり、前記支持板に棒状商品の前部の受け孔が形成されている構成を採用したり、
上記起伏部材は、側面台形の四角箱体であって、その底板の前縁が内箱の内底面に固定されて、前面壁に棒状商品の後部の支持孔が形成されている構成を採用したりすることができる。
【０００８】
また、上記起伏部材は、内箱の底面前側固定点で上下方向に起伏自在となっており、上記可撓部材は、外箱の固定点から、上記案内孔を通って内箱内に至り、前記起伏部材の内箱底面前側固定点より前側の内箱の透孔から起伏部材の前壁に固定されている構成とすることができる。
このように構成すると、起伏部材は、内箱から、反引き出し方向に（外箱に向かって）上向き傾斜した状態にせり上がり、それに伴って、起伏部材に設けた商品も、同様に、反引き出し方向に上向き傾斜した状態にせり上がる。
【０００９】
さらに、上記起伏部材は、昇降板の両側端に起立片が上記内箱内底面に向かってそれぞれ設けられて、その両起立片の先端は前記内箱の内底面に固定されており、上記可撓性材は、外箱の固定点から、上記案内孔を貫通した後、前記昇降板又は起立片に至って固定されており、前記内箱が外箱から引き出されると、前記可撓性材が外箱側に引かれ、その引かれに伴って起伏部材の両起立片が起立し、前記昇降板が両側端の起立片の起立に伴い上昇する構成を採用することができる。
このように構成すれば、昇降板全体が持ち上がるため、商品を見やすい利点がある。このとき、両側の起立片の長さ（高さ）を調整することによって、昇降板の傾斜角度が異なる。すなわち、同じ長さであれば、昇降板は内箱底面に平行に持ち上がり、両起立片の長さが異なれば、その短い方の起立片側下向きに傾いた持ち上がりとなる。
【００１０】
上記可撓性材は、引っ張られることによって、起伏部材を起立させるものであれば、何れでも良いが、例えば、樹脂等からなる紐やフィルム等が考えられる。このとき、テープ状とすることが好ましく、テープ状であると、引っ張り力がテープの長さ方向に確実に働くため、その引き動作が円滑に行われて起伏部材の起伏が円滑に行われる。紐の場合においても、並行な二本以上の紐であれば、同様な作用を得ることができる。
【発明の効果】
【００１１】
この発明は、以上のように構成したので、外箱から内箱を引き出すことによって、内箱内の商品がせり上がるため、従来になかった安価で斬新な組箱となる。
【図面の簡単な説明】
【００１２】
【図１】この発明に係る組箱の実施形態１の斜視図
【図２】同実施形態の一部省略切断正面図
【図３】同実施形態の外箱ブランクの平面図
【図４】同外箱の組み立て説明用斜視図
【図５】同実施形態の内箱ブランクの平面図
【図６】同内箱の組み立て説明用斜視図
【図７】同実施形態の受け座ブランクの平面図
【図８】同受け座の組み立て説明用斜視図
【図９】同実施形態の起伏部材ブランクの平面図
【図１０】同起伏部材の組み立て説明用斜視図
【図１１】同実施形態の作用説明用斜視図
【図１２】同実施形態の作用説明用概略断面図
【図１３】同実施形態の作用説明用概略断面図
【図１４】この発明に係る組箱の実施形態２の斜視図
【図１５】同実施形態の外箱と内箱等を分離した斜視図
【図１６】同実施形態の外箱ブランクの平面図
【図１７】同内箱ブランクの平面図
【図１８】同起立部材の斜視図
【図１９】同起立部材の各部品のブランクの平面図を示し、（ａ）は同底板、（ｃ）は同支持片、（ｃ）は同区画片、（ｄ）は同区画片、（ｅ）はカバー
【図２０】同実施形態の組箱の切断図であり、（ａ）は図１４のａ−ａ線断面、（ｂ）は同ｂ−ｂ線の部分断面
【図２１】同実施形態の作用説明用斜視図
【図２２】同実施形態の作用説明用切断部分正面図
【図２３】同実施形態の作用説明用部分概略図
【図２４】この発明に係る組箱の実施形態３の斜視図
【図２５】同実施形態の外箱と内箱を分離した斜視図
【図２６】同実施形態の外箱ブランクの平面図
【図２７】同内箱ブランクの平面図
【図２８】同起立部材のブランクの平面図
【図２９】同実施形態の組箱の切断正面図
【図３０】同実施形態の作用説明用斜視図
【図３１】同実施形態の作用説明用切断部分正面図
【図３２】同実施形態の作用説明用概略図
【発明を実施するための形態】
【００１３】
［実施形態１］
この発明に係わる組箱の一実施形態を図１〜図１３に示し、この組箱Ｐ１は、四角筒状の外箱１０と、その外箱１０内に筒軸方向出没可能に納まる四角状の内箱２０と、その内箱２０内の前側に設けた受け座３０と、内箱２０内の後側に固定した四角箱状起伏部材４０と、前記内箱２０の後壁に設けた案内孔５２と、起伏部材４０から前記案内孔５２を介して外箱１０の後壁に固定された可撓性材５０とを有する。
【００１４】
外箱１０は、図３に示すボール紙製ブランク１０’から形成し、底板１１の一側縁に糊片１２を、同他側縁に側板１３、上板１４、側板１５をそれぞれ折り目線ｒを介して連接している（連続して設けている）。各板１１、１３、１４、１５の両端縁にはフラップ片１６、１７、１８、１９をそれぞれ折り目線ｒを介して連接している。底板１１、側板１３、１５の一方（図３において上側）のフラップ片１６、１７、１９にはスリット５１をそれぞれ形成している。底板１１の一方のフラップ片１６の先端縁には舌片１６ａを折り目線ｒを介して連接している。
【００１５】
この構成のブランク１０’は、まず各板１１、１３、１４、１５の他方（図３において下側）のフラップ片１６、１７、１８、１９を内側に折り曲げて各板１１、１３、１４、１５の内面（図３の表面）に貼着して補強を行う。貼着は接着剤（糊）や両面テープで行う（以下、同様）。
この状態で、底板１１に対して各折り目線ｒを介して側板１３、上板１４、側板１５を順々に谷折りし、糊片１２を側板１５の表面に貼着して底板１１、側板１３、上板１４、側板１５からなる四角筒状体とする（図４参照）。この後、両側板１３、１５の一方の端のフラップ片１７、１９を内側に折り曲げ、その上に底板１１の同フラップ片１６を内側に折り曲げて舌片１６ａを上板１４の内側に挿入し、さらに、上板１４の同フラップ片１８を重ねる（図２参照）。各フラップ片１６、１７、１８、１９の間は適宜に貼着して相互に一体とする。このとき、フラップ片１６、１７、１９のスリット５１は同一位置にあって可撓性材５０が挿通して移動自在となる（図２参照）。
【００１６】
内箱２０は、図５に示すボール紙製ブランク２０’から形成し、底板２１の両長辺側縁に、外側板２２、２２、同内側板２３、２３、舌片２４、２４をそれぞれ折り目線ｒを介して連接している。底板２１の短辺側には、外側端板２５、２５及び内側端板２６、２６をそれぞれ折り目線ｒを介して連接し、内側板２３の短辺側には、フラップ片２７をそれぞれ折り目線ｒを介してそれぞれ連接している。外側板２２の短辺側と底板２１の外側端板２５の側縁の間は折り目線ｒを介して襠片２８を設けている。各端板２５、２６にはスリット５２、５４をそれぞれ形成している。内側端板２６の先端縁には舌片２６ａを折り目線ｒを介して連接している。なお、図中の破線を有する折り目線ｒはその破線部分が切り目となって折り目状態が確実かつ容易に維持されるものである（以下、同様）。
【００１７】
この構成のブランク２０’は、まず、底板２１に対して各折り目線ｒを介して側板２２、２２、２３、２３、舌片２４、２４を順々に谷折り又は山折りして四角箱状とし、続いて、両端のフラップ片２７、２７を噛み合わせる（図６（ａ）参照）。つぎに、襠片２８を中程の折り目線ｒを介して折り曲げつつ外側端板２５、２５を立ち上げ（谷折りし）、さらに内側端板２６を内側に折り曲げて、上面開口の四角状箱を形成する。舌片２４、２６ａ等は底板２１に適宜に貼着する。このとき、端板２５、２６のスリッ５２は同一位置にあって可撓性材５０が挿通して移動自在となり（図６（ｂ）参照）、外箱１０に内箱２０を差し込んだ際、このスリット５２と外箱１０のスリット５１は同一軸上に位置する。
【００１８】
受け座３０は図７に示すボール紙製ブランク３０’から形成し、基板３１の前縁（同図において下側）に折り目線ｒを介して支持板３２、立板３３、底板３４をそれぞれ連接し、底板３４の側縁に補強板３５を折り目線ｒを介して連接している。補強板３５の一縁（図７において上側）には二つ折りされる摘み片３６を設けている。支持板３２の両側にはフラップ片３７を連接している。支持板３２には立板３３との連接線から下方に開口するほぼ半円形の支持孔３８を切り起こしによって形成している。
【００１９】
この構成のブランク３０’は、まず、掴み片３６を折り曲げて二重とし、その後、補強板３５を折り込んで底板３４に添わせて貼着する（図８鎖線から実線参照）。このとき、摘み片３６は立片３３のほぼ四角状切欠き３３ａに対応する（切欠き３３ａに摘み片３６が嵌って通り抜け自在となる）。
つぎに、基板３１に対して折り目線ｒを介して支持板３２を斜めに立ち上げ、立板３３を下方に山折りし、さらに、底板３４を谷折りして基板３１に沿わせる。このとき、摘み片３６は立板３３の切欠き３３ａから突出した状態となる（図８実線状態）。底板３４は基板３１に貼着することができる。
【００２０】
起伏部材（駒）４０は図９に示すボール紙製ブランク４０’から形成し、四角状支持板４１の下縁（同図右側）に揺動板（底板）４２、上縁に上板４３を折り目線ｒを介して連接している。支持板４１には化粧品等の棒状商品Ａの支持孔４１ａを形成し、揺動板４２にはほぼ四角状の切り起こし固定片４２ａを形成している。この固定片４２ａは後述のように内箱２０の底面に貼着等によって固定する。
支持板４１の両側縁（図９において上下縁）には台形状側板４４を折り目線ｒを介して連接し、その側板４４の側縁に折り目線ｒを介してそれぞれフラップ片４５を連接している。揺動板４２及び上板４３に舌片４３ａを設け、上板４３にはスリット５３を形成する。
一方の側板４４の側縁（図９において上側縁）に、後板４６、連接板４７、副支持板４８を折り目線ｒを介してそれぞれ連接している。副支持板４８には副支持孔４８ａを形成する。後板４６、副支持板４８の縁にはそれぞれ折り目線ｒを介してフラップ片４６ｂ、４８ｂをそれぞれ設けている。
【００２１】
この構成のブランク４０’は、まず、後板４６に対し連接板４７を谷折りして立ち上げ、さらに副支持板４８を谷折りしてそのフラップ片４８ｂの一部（図９において上側フラップ片４８ｂ）を側板４４の内面に貼着して後板４６に平行とする。それと共に、副支持板４８の他のフラップ片４８ｂを立ち上げる（谷折りする）。
つぎに、支持板４１に対し側板４４、４４を立ち上げ（谷折りし）、そのフラップ片４５、４５、４５、４５を内側に折り曲げ、副支持板４８を後板４６と支持板４１の間の後板４６側に両板４１、４６とほぼ並行状態とする（図１０（ａ）参照）。
続いて、支持板４１に対し揺動板４２、上板４３を谷折りしその舌片４３ａ、４３ａを後板４６の上縁の切り目４６ａに差し込むとともに揺動板４２、上板４３をフラップ片４５、４５、４５、４５に貼着して、図１０（ｂ）に示す側面台形の起伏部材４０を形成する。この組み立て時、可撓性材であるテープ状フィルム５０の一端をスリット５３から上板４３の裏面（図９の鎖線で囲まれた部分ｓ）に貼着した後、その上板４３をフラップ片４５に貼着する。このとき、フィルム５０はスリット５３から出た後、上板４３表面に貼着することもできる。
【００２２】
この実施形態の組箱Ｐ１は以上の構成であり、まず、図６（ａ）に示す状態から同図（ｂ）に示す、内側端板２６を内側に折り曲げて上面開口の四角状内箱２０を組み上げ、その内箱２０内の前部に受け座３０を嵌めてその基板３１を内箱２０の底内面に貼着する（図１１、図１２参照）。このとき、図１、図２に示すように、支持板３２は内箱２０の前壁（外側端板）２５に向かって斜め上方に傾いて立板３３がその前壁に沿うようにするとともに、摘み片３６を内箱２０の前壁スリット５４から突出させる。また、基板３１及び底板３４の側縁の係止片３１ａを内箱２０の舌片２４の折り目線上の切り目２４ａに嵌め込む。
【００２３】
つぎに、図１０（ｂ）に示す、組み立てた起伏部材４０の上面から引き出された可撓性材（テープ状樹脂フィルム）５０の他端を内箱２０の後壁（内外側端板２５、２６で構成される）のスリット（案内孔）５２に通す（図１２参照）。その後、起伏部材４０を内箱２０の後側内に嵌め込み、揺動板４２から切り起こしされた固定片４２ａを受け座３０の基板３１表面に貼着等によって固定する（図２参照）。この固定によって、起伏部材４０は支持板４１の下縁（揺動板４２の前縁）ａを支点として上下に揺動自在（上下方向に起伏自在（回動自在））に内箱２０内に位置される（図２矢印参照）。
【００２４】
可撓性材５０が引き出された内箱２０を、図４に示す外箱１０に差し入れると共に、前記可撓性材５０の他端を外箱１０のフラップ片１７、１９、１８からなる後壁のスリット５１に挿し通し、その他端を外箱１０の後壁の表面（フラップ片１６の表面、図３のｓ部分）に貼着する（固定する）。この後、外箱１０の上板１４のフラップ片１８を前記可撓性材１６を貼着したフラップ片１６の上に被せて貼着する（図２参照）。このとき、後述の内箱２０の外箱１０からの引き出しに伴って起伏部材４０が所要の角度、例えば、θ＝１９度（図１３参照）、傾くように、内箱２０の後壁と外箱１０の後壁の間に可撓性材５０の弛みが生じるように、実験などによって可撓性材５０の長さを適宜に設定する。
【００２５】
この実施形態の組箱Ｐ１は、以上のように組み立てられ、内箱２０を外箱１０から引き出した状態で、化粧品等の棒状商品Ａの後端を起伏部材の支持孔４１ａ及び副支持孔４８ａに差し込むとともに、前端を受け座３０の支持孔３８の上に位置させる。この商品Ａの収納（包装）状態は、商品Ａの後部が起伏部材４０の両支持孔４１ａ、４８ａに嵌ってその軸心を不動に支持して、内箱２０内に商品Ａがしっかり収納されたものとなる。
この状態で、内箱２０を外箱１０内に押し込めば（没入すれば）、図１、図２、図１２に示すように、商品Ａがその自重によって倒伏してその前部が受け座３０の支持孔３８に嵌り、受け座３０（支持孔３８）と起伏部材４０（支持板４１、副支持板４８）とでその両端で水平に支持された状態となる（包装された状態となる）。
【００２６】
この組箱Ｐ１は、その包装された状態から、図１２から図１３に示すように、摘み片３６でもって内箱２０を外箱１０から引き出すと、その内箱２０の引き出しにつれて可撓性材５０が引かれ、起伏部材４０がその前面下縁ａを支点として下向きに揺動（倒伏）する。この倒伏に伴って商品Ａは上向き傾斜状態となる。
すなわち、図１１に示すように、内箱２０に収納された商品Ａは上向き傾斜状態となって、内箱２０を引き出した者に迫ってくるため、その驚きとともに、その商品Ａの高級感を醸し出す。
【００２７】
なお、この実施形態では、可撓性材５０を外箱１０の後壁となるフラップ片１６に貼着（固定）したが、内箱２０の差し入れに支障が無い限りにおいて、外箱１０と内箱２０の後側の間隙内であれば、可撓性材５０は内箱２０の引き出しに伴って起伏部材４０を起伏するため、可撓性材５０を外箱１０の後壁に貼着する位置は、そのような場合も含むものとする。この点は、以下の実施形態も同様とする。
また、起伏部材４０は、後壁４６の下縁が浮いた側面台形の四角箱体であるが、前壁４１の下縁が浮いた側面台形とし、後壁４６の下縁が内箱１０の底面に固定されてその下縁で起伏する構成とすることもできる。
さらに、この実施形態において、摘み片３６に代えてリボン状の紐とすることができ、内箱２０の前壁側面を摘んで内箱を引き出し得れば、摘み片３６や紐は省略し得る。
【００２８】
［実施形態２］
他の実施形態（第２実施形態）の組箱Ｐ２を図１４〜図２３に示し、この組箱Ｐ２は、扁平四角筒状の外箱１１０と、その外箱１１０内に筒軸方向出没可能に納まる四角状の内箱１２０と、その内箱１２０内の前側に設けた起伏部材１４０と、内箱１２０の後壁に設けた案内孔５２と、起伏部材１４０から前記案内孔５２を介して外箱１１０の後壁に固定された可撓性材５０とを有する。
【００２９】
外箱１１０は、図１６に示すボール紙製ブランク１１０’から形成し、底板１１１の一側縁（図１６において下側縁）に糊片１１２を、同他側縁に側板１１３、上板１１４、側板１１５をそれぞれ折り目線ｒを介して連接している。各板１１１、１１３、１１４、１１５の端縁にはフラップ片１１６、１１７、１１８、１１９をそれぞれ折り目線ｒを介して連接している。底板１１１の一方（図１６において右側）のフラップ片１１６にはスリット５１を形成し、折り目線ｒを介して舌片１１６ａを連接している。図中、６０は上板１１４に形成した商品Ａの確認用（視認用）透孔である。
【００３０】
この構成のブランク１１０’は、底板１１１及び上板１１４の他方（図１６において左側）のフラップ片１１６、１１８を内側に折り曲げて各板１１１、１１４の内面（図１６の裏面）に適宜に貼着して補強を行う。
この状態で、底板１１に対して各折り目線ｒを介して側板１１３、上板１１４、側板１１５を順々に山折りし、糊片１１２を側板１１５の裏面に貼着して底板１１１、側板１１３、上板１１４、側板１１５からなる四角筒状体とする（図１４、図１５参照）。この後、両側板１１３、１１５のフラップ片１１７、１１９を内側に折り曲げ、その上に底板１１１の同フラップ片１１６を内側に折り曲げて舌片１１６ａを上板１１４の内側に挿入し、さらに、上板１１４の同フラップ片１１８を重ねる（図２０（ａ）参照）。各フラップ片１１６、１１７、１１８、１１９の間は適宜に貼着して相互に一体とする。
【００３１】
内箱１２０は、図１７に示すボール紙製ブランク１２０’から形成し、底板１２１の両長辺側縁に、外側板１２２、１２２、上板１２２ａ１２２ａ、内側板１２３、２１３、舌片１２４、１２４をそれぞれ折り目線ｒを介して連接している。底板１２１の短辺側には、外側端板１２５、１２５、上側端板１２６ａ、１２６ａ及び内側端板１２６、１２６をそれぞれ折り目線ｒを介して連接し、内側板１２３の短辺側には、フラップ片１２７を折り目線ｒを介してそれぞれ連接している。外側板１２２の短辺側と底板１２１の外側端板１２５の側縁の間は折り目線ｒを介して襠片１２８を設けている。各端板１２５、１２６には折り目線ｒに沿うスリット（案内孔）５２をそれぞれ形成している。外側端板１２６の先端縁には舌片１２６ｂを折り目線ｒを介して連接している。
【００３２】
この構成のブランク１２０’は、まず、底板１２１に対して各折り目線ｒを介して側板１２２、１２２、１２３、１２３、舌片１２４、１２４を順々に谷折り又は山折りして四角箱状とし、続いて、両端のフラップ片１２７、１２７を内側に折り、その一方のフラップ片１２７は噛み合わせる（図６（ａ）参照）。
つぎに、襠片１２８を中程の折り目線ｒを介して重ね折りしつつ外側端板１２５、１２５を立ち上げ（谷折りし）、さらに上側端板１２６ａ、内側端板１２６を内側に折り曲げて、上面開口の四角状の内箱１２０を形成する。舌片１２４、１２６ｂ等は底板１２１に適宜に貼着する。このとき、端板１２５、１２６のスリット（案内孔）５２は同一位置にあって可撓性材５０が挿通して移動自在となり、外箱１１０に内箱１２０を差し込んだ際、このスリット５２と外箱１０のスリット５１は対向する（図２０（ａ）参照）。
【００３３】
起伏部材１４０を図１８に示し、図１９に示すブランクからなり、底板１５０、支持板１６０、両区画片１７０、１８０及びカバー１９０を有している。
底板１５０はボール紙製で、図１９（ａ）に示すように、内箱１２０内に嵌る幅ｔを有する四角状の基板１５１と、その両縁に折り目線ｒを介して側板１５２を連接したものであり、その一側部に五角形状の透孔（嵌合孔）１５３が左右（同図において上下）に形成されている。この底板１５０は、その側板１５２を折り目線ｒを介して谷折りして立ち上げ、折り目線ｒ上の突片１５４を内箱１２０の内側板１２３の透孔１２４ａに差し込むことによって内箱１２０内にセットする。
【００３４】
支持板１６０はボール紙製で、図１９（ｂ）に示すように、四角状の基板１６１と、その縁に折り目線ｒを介して連接された起立片１６２とからなる。起立片１６２は中程幅方向に折り目線ｒが形成されて、基板１６１から折り目線ｒを介して起立され、さらにその先端部が折り目線ｒを介して山折りされて、基板１６１に対し断面Ｌ字状に起立する（図１５参照）。基板１６１には、側部と中央部にそれぞれ四角状等の透孔１６３、１６４が形成されている。
【００３５】
一方の区画片１７０はボール紙製で、図１９（ｃ）に示すように、幅広部１７１と幅狭部１７２を交互に折り目線ｒを介して連接したものである。幅狭部１７２を折り目線ｒを介して下向きコ字状に起立させ、その起立した区画壁を支持板１６０の透孔１６４にその裏面から嵌めるとともに、係止片１７３を隣接する区画壁の側面に沿った透孔１６４ａに嵌める。基板１６１の裏面に沿う幅広部１７２は基板１６１に適宜に貼着する。
他方の区画片１８０は透明プラスチック板製で、図１９（ｄ）に示すように、基板１８１の両側縁に起立片１８２を折り目線ｒを介して連接しており、基板１８１に対し折り目線ｒを介して起立させる。その起立させた起立片１８２を支持板１６０の基板１６１の透孔１６３にその裏面から差し込むとともに、起立片１８２の係止片１８３を支持板１６０の起立片１６２の透孔１６５に差し込んで、この区画片１８０を支持板１６０に取り付ける。
【００３６】
カバー１９０は透明プラスチック板製で、図１９（ｅ）に示すように、基板１９１の側縁に側板１９２、蓋板１９３、側板１９４、糊片１９５を折り目線ｒを介して連接している。蓋板１９３の下縁（同図において左側）には端板１９６、フラップ片１９７を折り目線ｒを介して連接している。基板１９１、側板１９２、１９４の下縁にもフラップ片１９８、１９９を折り目線ｒを介して連接している。
このカバー１９０は、基板１９１に対して側板１９２、蓋板１９３、側板１９４を折り目線ｒを介して谷折りして扁平四角箱状とするとともに（図１５参照）、糊片１９５を基板１９１の側縁裏面に貼着する（その貼着部分は鎖線で囲まれた部分ｓ）。
【００３７】
この実施形態の組箱Ｐ２は以上の構成であり、まず、図１５に示すように、外箱１１０、内箱１２０、起伏部材１４０の底板１５０、同支持板１６０、同区画片１７０、１８０、同カバー１９０をそれぞれ組み立てる。そのカバー１９０に、起立片１７０、１８０を嵌めた支持板１６０を嵌め込んで適宜に貼着して一体とする（その貼着部分は図１９（ｂ）の鎖線で囲まれた部分ｓ等）。
つぎに、その支持板１６０が一体となったカバー１９０を、底板１５０にフラップ片１９８を透孔１５３に差し込んでそのフラップ片１９８を底板１５０の裏面に貼着する（その貼着部分は図１９（ｅ）の鎖線で囲まれた部分ｓ）。このフラップ片１９８の底板１５０への貼着により、フラップ片１９８の折り目線ｒを介して、底板１５０に対しカバー１９０が上下方向に起伏する。すなわち、底板１５０、支持板１６０、両区画片１７０、１８０及びカバー１９０からなる起伏部材１４０が組み立てられ、その起伏部材１４０は支点ａ（図２０（ａ）参照）でもって起伏する。
【００３８】
この起伏部材１４０の底板１５０下面に沿って可撓性フィルム５０の一端がその先端まで導かれ、その一端をカバー１９０の端板１９６先端の透孔１９６ａを介してその内面に貼着する。一方、その貼着した可撓性フィルム５０は底板１５０の縁の切欠き１５５からその裏面に導く。
この状態で、起伏部材１４０を内箱１２０内に装填し、その底板１５０を内箱底面に貼着（固定）するとともに、底板１５０の裏面のフィルム５０の他端を内箱１２０の後壁（フラップ片１２５、１２６）の案内孔５２に通して内箱１２０から突出させる。この状態でさらに内箱１２０を外箱１１０のその前面開口から差し込むとともに、前記フィルム５０の他端を外箱１１０の舌片１１６ａ等から成る後壁の透孔（スリット）５１に通して外箱１１０の舌片１１６ａ、フラップ片１１６、１１８の間に導いてそれらからなる後壁に貼着固定する（図２０（ａ）参照）。
このとき、後述の内箱１２０の外箱１１０からの引き出しに伴って起伏部材１４０が所要の角度、例えば、θ＝４５度、傾くように、内箱１２０の後壁と外箱１１０の後壁の間に可撓性材５０の弛みが生じるように、実験などによって可撓性材５０の長さを適宜に設定する（図２２、図２３参照）。
【００３９】
この実施形態の組箱Ｐ２は、以上のように組み立てられ、内箱１２０を外箱１１０から引き出した状態で、化粧品等の商品Ａを起伏部材１４０の支持板１６０に区画片１７０、１８０を介して載置する（設ける）。
この状態で、内箱１２０を外箱１１０内に押し込めば（没入すれば）、図１４、図２０に示すように、商品Ａがその自重又は人手によって起伏部材１４０と共に倒伏して内箱１２０内に納まる（包装された状態となる）。
【００４０】
この組箱Ｐ２は、その包装された図１４の状態から、外箱側板１１３、１１５の端縁切欠き１１３ａ１１５ａから露出した内箱１２０側面を掴んで、内箱１２０を外箱１１０から引き出すと、その内箱１２０の引き出しにつれて可撓性材５０が引かれ、起伏部材１４０がその底板１５０の基板１５１の前縁（カバー１９０のフラップ片１９７の折り曲げ縁）を支点ａとして上向きに揺動（起立）する。この起立に伴って商品Ａは上向き傾斜状態となる。
すなわち、図２１、図２２に示すように、内箱１２０に収納された商品Ａは上向き傾斜状態となって、内箱１２０を引き出した者に迫ってくるため、その驚きとともに、その商品Ａの高級感を醸し出す。
また、この実施形態の組箱Ｐ２は、起伏部材１４０を起立させた状態においても、内箱１２０が外箱１１０から少し出るように可撓性材５０の長さが設定されているため、図２３に示すように、外箱１１０を内箱１２０に対して折り返して重ねることができる。このため、この状態においても展示が可能である。
【００４１】
［実施形態３］
この発明に係わる組箱のさらに他の実施形態（実施形態３）を図２４〜図３２に示し、この組箱Ｐ３は、上記と同様に、扁平四角筒状の外箱２１０と、その外箱２１０内に筒軸方向出没可能に納まる四角状の内箱２２０と、内箱２０内の後側に固定した四角箱状起伏部材２４０と、内箱２２０の後壁に設けた案内孔５２と、前記起伏部材２４０から外箱２１０の後壁に固定された可撓性材５０とを有する。
【００４２】
外箱２１０は、図２６に示すボール紙製ブランク２１０’から形成し、底板２１１の一側縁（図２６において下側縁）に糊片２１２を、同他側縁に側板２１３、上板２１４、側板２１５をそれぞれ折り目線ｒを介して連接している。各板２１１、２１３、２１４、２１５の端縁にはフラップ片２１６、２１７、２１８、２１９をそれぞれ折り目線ｒを介して連接している。底板２１１の一方（図２６において右側）のフラップ片２１６にはスリット（透孔）５１を形成している。
【００４３】
この構成のブランク２１０’は、まず底板２１１及び上板２１４の他方（図２６において左側）のフラップ片２１６、２１８を内側に折り曲げて各板２１１、２１４の内面（図２６の裏面）に貼着して補強を行う。
この状態で、底板２１１に対して各折り目線ｒを介して側板２１３、上板２１４、側板２１５を順々に山折りし、糊片２１２を側板２１５の裏面に貼着して底板２１１、側板２１３、上板２１４、側板２１５からなる四角筒状体とする（図２５参照）。この後、両側板２１３、２１５のフラップ片２１７、２１９を内側に折り曲げ、その上に底板２１１のフラップ片２１６を内側に折り曲げて舌片２１６ａを上板２１４の内側に挿入して下側折り曲げ、さらに、上板２１４のフラップ片２１８を重ねる（図２９参照）。各フラップ片２１６、２１７、２１８、２１９の間は適宜に貼着して相互に一体とする（図２６の鎖線部分ｓが貼着部分）。
【００４４】
内箱２２０は、図２７に示すボール紙製ブランク２２０’から形成し、底板２２１の両長辺側縁に、外側板２２２、２２２、上側端板２２３ａ、２２３ａ、内側板２２３、２２３、舌片２２４、２２４をそれぞれ折り目線ｒを介して連接している。底板２２１の短辺側には、外側端板２２５、２２５、上側端板２２６ａ、２２６ａ及び内側端板２２６、２２６をそれぞれ折り目線ｒを介して連接し、内側板２２３の短辺側には、フラップ片２２７をそれぞれ折り目線ｒを介してそれぞれ連接している。底板２２１の外側端板２２２の短辺側と同外側端板２２５の側縁の間は折り目線ｒを介して襠片２２８を設けている。各端板２２５、２２６及びフラップ片２２７にはスリット（案内孔）５２をそれぞれ形成している。内側端板２２６の先端縁には舌片２２６ｂを折り目線ｒを介して連接している。
【００４５】
この構成のブランク２２０’は、まず、底板２２１に対して各折り目線ｒを介して側板２２２、２２２、２２３、２２３、舌片２２４、２２４を順々に谷折り又は山折りして四角箱状とし、続いて、両端のフラップ片２２７、２２７を噛み合わせる（図６（ａ）参照）。つぎに、襠片２２８を中程の折り目線ｒを介して重ね折りしつつ外側端板２２２、２２５を立ち上げ（谷折りし）、さらに内側端板２２６を内側に折り曲げて、上面開口の四角状箱を形成する（図２５参照）。舌片２２４、２２６ｂ等は底板２２１に適宜に貼着する。このとき、端板２２６及びフラップ片２２７のスリッ５２は同一位置にあって可撓性材５０が挿通して移動自在となる（図２９参照）。
【００４６】
起伏部材２４０は図２８に示すボール紙製ブランク２４０’から形成し、底板２４１の両側端（同図において上下側縁）に起立片２４２ａ、２４２ｂが折り目線ｒを介して連接され、その一方の起立片２４２ａの上端に透孔（スリット）５３を設けた折り目線ｒを介して舌片２４３が連接され、他方の起立片２４２ｂの下縁に折り目線ｒを介して昇降板２４４が連接されている。
この起伏部材２４０は、同図のブランク２４０’から、底板２４１に対して起立片２４２ｂ、昇降板２４４、起立片２４２ａ、舌片２４３を順々に谷折りして四角状とし、舌片２４３は昇降板２４４の裏面に貼着（固定）する。起立片２４２ａ、２４２ｂの長さ（図２８の上下方向）及び前記貼着を昇降板２４４の長さ方向（同上下方向）の適宜な位置に選択することによって、昇降板２４４の傾きが決定される。この実施形態においては、起立片２４２ａ、２４２ｂが倒伏して、昇降板２４４、起立片２４２ａ、２４２ｂ及び底板２４１が重なり合うように、舌片２４３が昇降板２４４の裏面位置に貼着されている。
【００４７】
この実施形態の組箱Ｐ３は以上の構成であり、まず、図２５に示すように、外箱２１０、内箱２２０、起伏部材２４０を組み立てる。
つぎに、起伏部材２４０の舌片２４３の裏面に透孔５３を介して可撓性フィルム５０の一端を導いて貼着（固定）する（その貼着位置を図２８の鎖線部分ｓで示す）。このフィルム５０の貼着は起立片２４２ａ、２４２ｂ又は昇降板２４４でも良い。
このフィルム５０付の起伏部材２４０を内箱２２０内に嵌める。このとき、フィルム５０の他端は内箱２２０の後壁（内側端板２２６及びフラップ片２２７）の両案内孔５２、５２に通すとともに、同外側端板２２５の案内孔５２に通す。また、起伏部材２４０の底板２４１の突片２４１ａを内箱２２０の内側板２２３の透孔２２４ａに差し込むことによって内箱１２０内に装填（セット）する。
そのセットと共に、内箱２２０から突出した可撓性フィルム５０の他端を外箱２１０の透孔５１に通して外部に突出させる。
【００４８】
この状態で、さらに内箱２２０を外箱２１０のその前面開口から差し込むとともに、透孔５１から突出したフィルム５０の他端を外箱のフラップ片２１６、２１８の間に導いて貼着固定する（図２９参照）。
このとき、後述の内箱１２０の外箱１１０からの引き出しに伴って起伏部材１４０の昇降板２４４が所要の角度、例えば、θ＝２〜３度、傾き、内箱１２０の後壁と外箱１１０の後壁の間に可撓性材５０の弛みが生じるように、実験などによって可撓性材５０の長さを適宜に設定する。この実施形態においては、内箱２２０の後壁内（内側端板２２６、フラップ片２２７と外側端板２２５の間）にその弛みの多くを形成している。
【００４９】
この実施形態の組箱Ｐ３は、以上のように組み立てられ、内箱２２０を外箱１１０から引き出した状態（図３０参照）で、化粧品等の棒状商品Ａを起伏部材２４０の昇降板２４４に、図１５記載の支持板１６０等などでもって商品Ａを載置する（設ける）。この実施形態においては、支持板１６０の起立片１６２等を削除した基板１６１としている。
この状態で、内箱２２０を外箱２１０内に押し込めば（没入すれば）、図２４、図２９に示すように、商品Ａがその自重又は人手によって起伏部材２４０と共に倒伏して内箱２２０内に納まる（包装された状態となる）。
【００５０】
この組箱Ｐ３は、その包装された図２４、図２９の状態から、外箱側板２１３、２１５の端縁切欠き２１３ａ、２１５ａから露出した内箱２２０側面を掴んで、内箱２２０を外箱２１０から引き出すと、その内箱２２０の引き出しにつれて可撓性材５０が引かれ、起伏部材２４０の起立片２４２ａ、２４２ｂが起立して昇降板２４４がせり上がる。
すなわち、図３１に示すように、内箱２２０に収納された商品Ａは上向き傾斜状態又は水平状態で持ち上がって、内箱２２０を引き出した者に迫ってくるため、その驚きとともに、その商品Ａの高級感を醸し出す。
【００５１】
また、この実施形態の組箱Ｐ３は、起伏部材２４０を起立させた状態においても、内箱２２０が外箱２１０から少し出るように可撓性材５０の長さが設定されているため、図３２（ａ）に示すように、外箱１１０を内箱１２０に対して折り返して重ねることができる。このため、この状態においても展示が可能であり、さらに、同図（ｂ）に示すように、外箱２１０、内箱２２０を重ねた状態において立てて展示することもできる。
さらに、この実施形態は、図３２（ｃ）に示すように、内箱２２０から商品Ａを突出したせり出す状態とし得る。このとき、昇降板２４４（商品Ａ）は上向き傾斜状態（傾斜角度θ）となり、可撓性材５０の長さをそのようになるように設定することは勿論である。
【００５２】
以上の通り、この発明に係る組箱Ｐ１〜Ｐ３は、内箱２０、１２０、２２０に収納された商品Ａが内箱の引き出しに伴って上向き傾斜状態等となって、内箱を引き出した者に迫ってくるため、その驚きとともに、その商品Ａの高級感を醸し出す。このため、商品Ａが、口紅やスプレー式香水等の高級感を醸し出す必要があるものにおいて有効な展示方法となる。例えば、ヒト幹細胞培養液（例えば、商品名：プロケアリバーサーセラム）等の高価な化粧品に有効である。
【００５３】
なお、この発明に係る組箱Ｐ１、Ｐ２、Ｐ３の材料は、ボール紙に限らず、プラスチック板、ダンボール紙等の種々のものを採用できることは勿論である。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００５４】
１０、１１０、２１０  外箱
１１、１１１、２１１  外箱の底板
２０、１２０、２２０  内箱
３０  受け座
４０、１４０、２４０  起伏部材
４１、１９６  起伏部材の前面壁（前壁）
５０  可撓性材（テープ状樹脂フィルム）
５１、５２、５３  可撓性材の貫通スリット（案内孔）
１５５  内箱透孔
２４４  起伏部材の昇降板
２４２ａ、２４２ｂ  同起立片
Ａ  商品
Ｐ１、Ｐ２、Ｐ３  組箱
ａ  起伏部材の起伏支点（下縁）
ｒ  折り目線（切り目線）
【図１】
2020050440.tif 000003
【図２】
2020050440.tif 000004
【図３】
2020050440.tif 000005
【図４】
2020050440.tif 000006
【図５】
2020050440.tif 000007
【図６】
2020050440.tif 000008
【図７】
2020050440.tif 000009
【図８】
2020050440.tif 000010
【図９】
2020050440.tif 000011
【図１０】
2020050440.tif 000012
【図１１】
2020050440.tif 000013
【図１２】
2020050440.tif 000014
【図１３】
2020050440.tif 000015
【図１４】
2020050440.tif 000016
【図１５】
2020050440.tif 000017
【図１６】
2020050440.tif 000018
【図１７】
2020050440.tif 000019
【図１８】
2020050440.tif 000020
【図１９】
2020050440.tif 000021
【図２０】
2020050440.tif 000022
【図２１】
2020050440.tif 000023
【図２２】
2020050440.tif 000024
【図２３】
2020050440.tif 000025
【図２４】
2020050440.tif 000026
【図２５】
2020050440.tif 000027
【図２６】
2020050440.tif 000028
【図２７】
2020050440.tif 000029
【図２８】
2020050440.tif 000030
【図２９】
2020050440.tif 000031
【図３０】
2020050440.tif 000032
【図３１】
2020050440.tif 000033
【図３２】
2020050440.tif 000034
【手続補正書】
【提出日】平成31年4月25日(2019.4.25)
【手続補正１】
【補正対象書類名】明細書
【補正対象項目名】全文
【補正方法】変更
【補正の内容】
【発明の詳細な説明】
【技術分野】
【０００１】
この発明は、四角筒状で筒軸方向一面が閉塞され、他面が開口となった外箱と、その外箱内に前記開口から出没可能に納めた上面開口の四角状の内箱と、からなり、外箱から内箱を引き出すと、内箱内の収納商品がせり上がる組箱に関するものである。
【背景技術】
【０００２】
組箱には外箱内にさらに内箱を納め、その両箱に蓋を被せているものがあり、この組箱は高級感を醸し出し、化粧品等の詰め合わせ用包装箱等として使用されている。
この組箱において、展示時や蓋を開けた時（開放時）、内箱を斜めに持ち上げたり、そのまま持ち上げたりすると、その内箱に納めた商品が見やすく、高級感が増す。
このため、出願人は、蓋と内箱とをその動作に関連性を持たせて、蓋を開けた時の感動及び高級感を醸し出し得るようにした発明を提案した（特許文献１、２）。また、蓋の開放に伴い、テープを介して内箱がせり上がるようにした組箱も提案されている（特許文献３）。
【先行技術文献】
【特許文献】
【０００３】
【特許文献１】特開２０１６−２６９５９号公報
【特許文献２】特許第６２１１７３０号公報
【特許文献３】仏国特許発明第０８２２９７８号公報
【発明の概要】
【発明が解決しようとする課題】
【０００４】
上記特許文献１、２記載の組箱は、それなりに好評を得ているが、さらに商品価値を上げる別構成の組箱を要求された。さらに、何れの技術も、蓋の開放に伴って内箱をせり上げるものであり、外箱から内箱を引き出すことによって、内箱内の収納商品がせり上がるものではない。
この発明は、上記要求に応えるべく、外箱から内箱を引き出すことによって、内箱内の収納商品がせり上がるようにして、商品を見た時の感動及び高級感を醸し出し得る新規な組箱を提供することを課題とする。
【課題を解決するための手段】
【０００５】
上記課題を達成するため、この発明は、四角筒状で筒軸方向一面が閉塞され、他面が開口となった外箱と、その外箱内に前記開口から前記筒軸方向出没可能に納めた上面開口の四角状の内箱と、前記内箱内の底面に設けた起伏部材と、前記内箱の後壁に設けた案内孔と、前記起伏部材から前記案内孔を介して外箱の後壁に固定された可撓性材とを有し、前記起伏部材に商品が設けられて、内箱を外箱から引き出すと、可撓性材でもって起伏部材が起伏する構成の組箱を採用したのである。
【０００６】
この構成において、上記起伏部材は四角箱体で、その前面壁又は後面壁の下縁で上下方向に起伏自在に固定され、上記可撓性材は上記外箱の後壁に固定され、内箱を外箱から引き出すと、可撓性材でもって起伏部材が引かれて前記下縁を支点として起立し、その起立に伴って商品が斜め上方に持ちあげられる構成とすることができる。
このように構成すると、起伏部材は、外箱側から引き出し方向に上向き傾斜した状態にせり上がり、それに伴って、起伏部材に設けた商品も、同様に、上向き傾斜した状態にせり上がる。
【０００７】
また、この構成において、商品が棒状の場合、上記起伏部材は、その前面壁でもって棒状商品の後部をその軸心を不動に支持し、内箱内の前側に受け座を設け、その受け座は、棒状商品の前部を接離自在に支持する構成とすれば、さらに、ユニークな組箱となる。なお、前記「軸心を不動に支持する」とは、棒状商品が斜め上方に持ち上がる程度の不動の支持を言い、全く軸心が動かないように支持する意ではない。
このユニークな構成において、上記受け座は、内箱の底面に固定された基板と、その基板前縁から斜め上方に立ち上がった支持板と、その支持板の上縁から内箱の底面に至る支え板とからなり、前記支持板に棒状商品の前部の受け孔が形成されている構成を採用したり、
上記起伏部材は、側面台形の四角箱体であって、その底板の前縁が内箱の内底面に固定されて、前面壁に棒状商品の後部の支持孔が形成されている構成を採用したりすることができる。
【０００８】
また、上記起伏部材は、内箱の底面前側固定点で上下方向に起伏自在となっており、上記可撓性材は、外箱の固定点から、上記案内孔を通って内箱内に至り、前記起伏部材の内箱底面前側固定点より前側の内箱の透孔から起伏部材の前壁に固定されている構成とすることができる。
このように構成すると、起伏部材は、内箱から、反引き出し方向に（外箱に向かって）上向き傾斜した状態にせり上がり、それに伴って、起伏部材に設けた商品も、同様に、反引き出し方向に上向き傾斜した状態にせり上がる。
【０００９】
さらに、上記起伏部材は、昇降板の両側端に起立片が上記内箱内底面に向かってそれぞれ設けられて、その両起立片の先端は前記内箱の内底面に固定されており、上記可撓性材は、外箱の固定点から、上記案内孔を貫通した後、前記昇降板又は起立片に至って固定されており、前記内箱が外箱から引き出されると、前記可撓性材が外箱側に引かれ、その引かれに伴って起伏部材の両起立片が起立し、前記昇降板が両側端の起立片の起立に伴い上昇する構成を採用することができる。
このように構成すれば、昇降板全体が持ち上がるため、商品を見やすい利点がある。このとき、両側の起立片の長さ（高さ）を調整することによって、昇降板の傾斜角度が異なる。すなわち、同じ長さであれば、昇降板は内箱底面に平行に持ち上がり、両起立片の長さが異なれば、その短い方の起立片側下向きに傾いた持ち上がりとなる。
【００１０】
上記可撓性材は、引っ張られることによって、起伏部材を起立させるものであれば、何れでも良いが、例えば、樹脂等からなる紐やフィルム等が考えられる。このとき、テープ状とすることが好ましく、テープ状であると、引っ張り力がテープの長さ方向に確実に働くため、その引き動作が円滑に行われて起伏部材の起伏が円滑に行われる。紐の場合においても、並行な二本以上の紐であれば、同様な作用を得ることができる。
【発明の効果】
【００１１】
この発明は、以上のように構成したので、外箱から内箱を引き出すことによって、内箱内の商品がせり上がるため、従来になかった安価で斬新な組箱となる。
【図面の簡単な説明】
【００１２】
【図１】この発明に係る組箱の実施形態１の斜視図
【図２】同実施形態の一部省略切断正面図
【図３】同実施形態の外箱ブランクの平面図
【図４】同外箱の組み立て説明用斜視図
【図５】同実施形態の内箱ブランクの平面図
【図６】同内箱の組み立て説明用斜視図
【図７】同実施形態の受け座ブランクの平面図
【図８】同受け座の組み立て説明用斜視図
【図９】同実施形態の起伏部材ブランクの平面図
【図１０】同起伏部材の組み立て説明用斜視図
【図１１】同実施形態の作用説明用斜視図
【図１２】同実施形態の作用説明用概略断面図
【図１３】同実施形態の作用説明用概略断面図
【図１４】この発明に係る組箱の実施形態２の斜視図
【図１５】同実施形態の外箱と内箱等を分離した斜視図
【図１６】同実施形態の外箱ブランクの平面図
【図１７】同内箱ブランクの平面図
【図１８】同起立部材の斜視図
【図１９】同起立部材の各部品のブランクの平面図を示し、（ａ）は同底板、（ｃ）は同支持片、（ｃ）は同区画片、（ｄ）は同区画片、（ｅ）はカバー
【図２０】同実施形態の組箱の切断図であり、（ａ）は図１４のａ−ａ線断面、（ｂ）は同ｂ−ｂ線の部分断面
【図２１】同実施形態の作用説明用斜視図
【図２２】同実施形態の作用説明用切断部分正面図
【図２３】同実施形態の作用説明用部分概略図
【図２４】この発明に係る組箱の実施形態３の斜視図
【図２５】同実施形態の外箱と内箱を分離した斜視図
【図２６】同実施形態の外箱ブランクの平面図
【図２７】同内箱ブランクの平面図
【図２８】同起立部材のブランクの平面図
【図２９】同実施形態の組箱の切断正面図
【図３０】同実施形態の作用説明用斜視図
【図３１】同実施形態の作用説明用切断部分正面図
【図３２】同実施形態の作用説明用概略図
【発明を実施するための形態】
【００１３】
［実施形態１］
この発明に係わる組箱の一実施形態（第１実施形態）を図１〜図１３に示し、この組箱Ｐ１は、四角筒状の外箱１０と、その外箱１０内に筒軸方向出没可能に納まる四角状の内箱２０と、その内箱２０内の前側に設けた受け座３０と、内箱２０内の後側に固定した四角箱状起伏部材４０と、前記内箱２０の後壁に設けた案内孔５２と、起伏部材４０から前記案内孔５２を介して外箱１０の後壁に固定された可撓性材５０とを有する。
【００１４】
外箱１０は、図３に示すボール紙製ブランク１０’から形成し、底板１１の一側縁に糊片１２を、同他側縁に側板１３、上板１４、側板１５をそれぞれ折り目線ｒを介して連接している（連続して設けている）。各板１１、１３、１４、１５の両端縁にはフラップ片１６、１７、１８、１９をそれぞれ折り目線ｒを介して連接している。底板１１、側板１３、１５の一方（図３において上側）のフラップ片１６、１７、１９にはスリット５１をそれぞれ形成している。底板１１の一方のフラップ片１６の先端縁には舌片１６ａを折り目線ｒを介して連接している。
【００１５】
この構成のブランク１０’は、まず各板１１、１３、１４、１５の他方（図３において下側）のフラップ片１６、１７、１８、１９を内側に折り曲げて各板１１、１３、１４、１５の内面（図３の表面）に貼着して補強を行う。貼着は接着剤（糊）や両面テープで行う（以下、同様）。
この状態で、底板１１に対して各折り目線ｒを介して側板１３、上板１４、側板１５を順々に谷折りし、糊片１２を側板１５の表面に貼着して底板１１、側板１３、上板１４、側板１５からなる四角筒状体とする（図４参照）。この後、両側板１３、１５の一方の端のフラップ片１７、１９を内側に折り曲げ、その上に底板１１の同フラップ片１６を内側に折り曲げて舌片１６ａを上板１４の内側に挿入し、さらに、上板１４の同フラップ片１８を重ねる（図２参照）。各フラップ片１６、１７、１８、１９の間は適宜に貼着して相互に一体とする。このとき、フラップ片１６、１７、１９のスリット５１は同一位置にあって可撓性材５０が挿通して移動自在となる（図２参照）。
【００１６】
内箱２０は、図５に示すボール紙製ブランク２０’から形成し、底板２１の両長辺側縁に、外側板２２、２２、同内側板２３、２３、舌片２４、２４をそれぞれ折り目線ｒを介して連接している。底板２１の短辺側には、外側端板２５、２５及び内側端板２６、２６をそれぞれ折り目線ｒを介して連接し、内側板２３の短辺側には、フラップ片２７をそれぞれ折り目線ｒを介してそれぞれ連接している。外側板２２の短辺側と底板２１の外側端板２５の側縁の間は折り目線ｒを介して襠片２８を設けている。各端板２５、２６にはスリット５２、５４をそれぞれ形成している。内側端板２６の先端縁には舌片２６ａを折り目線ｒを介して連接している。なお、図中の破線を有する折り目線ｒはその破線部分が切り目となって折り目状態が確実かつ容易に維持されるものである（以下、同様）。
【００１７】
この構成のブランク２０’は、まず、底板２１に対して各折り目線ｒを介して側板２２、２２、２３、２３、舌片２４、２４を順々に谷折り又は山折りして四角箱状とし、続いて、両端のフラップ片２７、２７を噛み合わせる（図６（ａ）参照）。つぎに、襠片２８を中程の折り目線ｒを介して折り曲げつつ外側端板２５、２５を立ち上げ（谷折りし）、さらに内側端板２６を内側に折り曲げて、上面開口の四角状箱を形成する。舌片２４、２６ａ等は底板２１に適宜に貼着する。このとき、端板２５、２６のスリッ５２は同一位置にあって可撓性材５０が挿通して移動自在となり（図６（ｂ）参照）、外箱１０に内箱２０を差し込んだ際、このスリット５２と外箱１０のスリット５１は同一軸上に位置する。
【００１８】
受け座３０は図７に示すボール紙製ブランク３０’から形成し、基板３１の前縁（同図において下側）に折り目線ｒを介して支持板３２、立板３３、底板３４をそれぞれ連接し、底板３４の側縁に補強板３５を折り目線ｒを介して連接している。補強板３５の一縁（図７において上側）には二つ折りされる摘み片３６を設けている。支持板３２の両側にはフラップ片３７を連接している。支持板３２には立板３３との連接線から下方に開口するほぼ半円形の支持孔３８を切り起こしによって形成している。
【００１９】
この構成のブランク３０’は、まず、掴み片３６を折り曲げて二重とし、その後、補強板３５を折り込んで底板３４に添わせて貼着する（図８鎖線から実線参照）。このとき、摘み片３６は立片３３のほぼ四角状切欠き３３ａに対応する（切欠き３３ａに摘み片３６が嵌って通り抜け自在となる）。
つぎに、基板３１に対して折り目線ｒを介して支持板３２を斜めに立ち上げ、立板３３を下方に山折りし、さらに、底板３４を谷折りして基板３１に沿わせる。このとき、摘み片３６は立板３３の切欠き３３ａから突出した状態となる（図８実線状態）。底板３４は基板３１に貼着することができる。
【００２０】
起伏部材（駒）４０は図９に示すボール紙製ブランク４０’から形成し、四角状支持板４１の下縁（同図右側）に揺動板（底板）４２、上縁に上板４３を折り目線ｒを介して連接している。支持板４１には化粧品等の棒状商品Ａの支持孔４１ａを形成し、揺動板４２にはほぼ四角状の切り起こし固定片４２ａを形成している。この固定片４２ａは後述のように内箱２０の底面に貼着等によって固定する。
支持板４１の両側縁（図９において上下縁）には台形状側板４４を折り目線ｒを介して連接し、その側板４４の側縁に折り目線ｒを介してそれぞれフラップ片４５を連接している。揺動板４２及び上板４３に舌片４３ａを設け、上板４３にはスリット５３を形成する。
一方の側板４４の側縁（図９において上側縁）に、後板４６、連接板４７、副支持板４８を折り目線ｒを介してそれぞれ連接している。副支持板４８には副支持孔４８ａを形成する。後板４６、副支持板４８の縁にはそれぞれ折り目線ｒを介してフラップ片４６ｂ、４８ｂをそれぞれ設けている。
【００２１】
この構成のブランク４０’は、まず、後板４６に対し連接板４７を谷折りして立ち上げ、さらに副支持板４８を谷折りしてそのフラップ片４８ｂの一部（図９において上側フラップ片４８ｂ）を側板４４の内面に貼着して後板４６に平行とする。それと共に、副支持板４８の他のフラップ片４８ｂを立ち上げる（谷折りする）。
つぎに、支持板４１に対し側板４４、４４を立ち上げ（谷折りし）、そのフラップ片４５、４５、４５、４５を内側に折り曲げ、副支持板４８を後板４６と支持板４１の間の後板４６側に両板４１、４６とほぼ並行状態とする（図１０（ａ）参照）。
続いて、支持板４１に対し揺動板４２、上板４３を谷折りしその舌片４３ａ、４３ａを後板４６の上縁の切り目４６ａに差し込むとともに揺動板４２、上板４３をフラップ片４５、４５、４５、４５に貼着して、図１０（ｂ）に示す側面台形の起伏部材４０を形成する。この組み立て時、可撓性材であるテープ状フィルム５０の一端をスリット５３から上板４３の裏面（図９の鎖線で囲まれた部分ｓ）に貼着した後、その上板４３をフラップ片４５に貼着する。このとき、フィルム５０はスリット５３から出た後、上板４３表面に貼着することもできる。
【００２２】
この実施形態の組箱Ｐ１は以上の構成であり、まず、図６（ａ）に示す状態から同図（ｂ）に示す、内側端板２６を内側に折り曲げて上面開口の四角状内箱２０を組み上げ、その内箱２０内の前部に受け座３０を嵌めてその基板３１を内箱２０の底内面に貼着する（図１１、図１２参照）。このとき、図１、図２に示すように、支持板３２は内箱２０の前壁（外側端板）２５に向かって斜め上方に傾いて立板３３がその前壁に沿うようにするとともに、摘み片３６を内箱２０の前壁スリット５４から突出させる。また、基板３１及び底板３４の側縁の係止片３１ａを内箱２０の舌片２４の折り目線上の切り目２４ａに嵌め込む。
【００２３】
つぎに、図１０（ｂ）に示す、組み立てた起伏部材４０の上面から引き出された可撓性材（テープ状樹脂フィルム）５０の他端を内箱２０の後壁（内外側端板２５、２６で構成される）のスリット（案内孔）５２に通す（図１２参照）。その後、起伏部材４０を内箱２０の後側内に嵌め込み、揺動板４２から切り起こしされた固定片４２ａを受け座３０の基板３１表面に貼着等によって固定する（図２参照）。この固定によって、起伏部材４０は支持板４１の下縁（揺動板４２の前縁）ａを支点として上下に揺動自在（上下方向に起伏自在（回動自在））に内箱２０内に位置される（図２矢印参照）。
【００２４】
可撓性材５０が引き出された内箱２０を、図４に示す外箱１０に差し入れると共に、前記可撓性材５０の他端を外箱１０のフラップ片１７、１９、１８からなる後壁のスリット５１に挿し通し、その他端を外箱１０の後壁の表面（フラップ片１６の表面、図３のｓ部分）に貼着する（固定する）。この後、外箱１０の上板１４のフラップ片１８を前記可撓性材１６を貼着したフラップ片１６の上に被せて貼着する（図２参照）。このとき、後述の内箱２０の外箱１０からの引き出しに伴って起伏部材４０が所要の角度、例えば、θ＝１９度（図１３参照）、傾くように、内箱２０の後壁と外箱１０の後壁の間に可撓性材５０の弛みが生じるように、実験などによって可撓性材５０の長さを適宜に設定する。
【００２５】
この実施形態の組箱Ｐ１は、以上のように組み立てられ、内箱２０を外箱１０から引き出した状態で、化粧品等の棒状商品Ａの後端を起伏部材の支持孔４１ａ及び副支持孔４８ａに差し込むとともに、前端を受け座３０の支持孔３８の上に位置させる。この商品Ａの収納（包装）状態は、商品Ａの後部が起伏部材４０の両支持孔４１ａ、４８ａに嵌ってその軸心を不動に支持して、内箱２０内に商品Ａがしっかり収納されたものとなる。
この状態で、内箱２０を外箱１０内に押し込めば（没入すれば）、図１、図２、図１２に示すように、商品Ａがその自重によって倒伏してその前部が受け座３０の支持孔３８に嵌り、受け座３０（支持孔３８）と起伏部材４０（支持板４１、副支持板４８）とでその両端で水平に支持された状態となる（包装された状態となる）。
【００２６】
この組箱Ｐ１は、その包装された状態から、図１２から図１３に示すように、摘み片３６でもって内箱２０を外箱１０から引き出すと、その内箱２０の引き出しにつれて可撓性材５０が引かれ、起伏部材４０がその前面下縁ａを支点として下向きに揺動（倒伏）する。この倒伏に伴って商品Ａは上向き傾斜状態となる。
すなわち、図１１に示すように、内箱２０に収納された商品Ａは上向き傾斜状態となって、内箱２０を引き出した者に迫ってくるため、その驚きとともに、その商品Ａの高級感を醸し出す。
【００２７】
なお、この実施形態では、可撓性材５０を外箱１０の後壁となるフラップ片１６に貼着（固定）したが、内箱２０の差し入れに支障が無い限りにおいて、外箱１０と内箱２０の後側の間隙内であれば、可撓性材５０は内箱２０の引き出しに伴って起伏部材４０を起伏するため、可撓性材５０を外箱１０の後壁に貼着する位置は、そのような場合も含むものとする。この点は、以下の実施形態も同様とする。
また、起伏部材４０は、後壁４６の下縁が浮いた側面台形の四角箱体であるが、前壁４１の下縁が浮いた側面台形とし、後壁４６の下縁が内箱１０の底面に固定されてその下縁で起伏する構成とすることもできる。
さらに、この実施形態において、摘み片３６に代えてリボン状の紐とすることができ、内箱２０の前壁側面を摘んで内箱を引き出し得れば、摘み片３６や紐は省略し得る。
【００２８】
［実施形態２］
他の実施形態（第２実施形態）の組箱Ｐ２を図１４〜図２３に示し、この組箱Ｐ２は、扁平四角筒状の外箱１１０と、その外箱１１０内に筒軸方向出没可能に納まる四角状の内箱１２０と、その内箱１２０内の前側に設けた起伏部材１４０と、内箱１２０の後壁に設けた案内孔５２と、起伏部材１４０から前記案内孔５２を介して外箱１１０の後壁に固定された可撓性材５０とを有する。
【００２９】
外箱１１０は、図１６に示すボール紙製ブランク１１０’から形成し、底板１１１の一側縁（図１６において下側縁）に糊片１１２を、同他側縁に側板１１３、上板１１４、側板１１５をそれぞれ折り目線ｒを介して連接している。各板１１１、１１３、１１４、１１５の端縁にはフラップ片１１６、１１７、１１８、１１９をそれぞれ折り目線ｒを介して連接している。底板１１１の一方（図１６において右側）のフラップ片１１６にはスリット５１を形成し、折り目線ｒを介して舌片１１６ａを連接している。図中、６０は上板１１４に形成した商品Ａの確認用（視認用）透孔である。
【００３０】
この構成のブランク１１０’は、底板１１１及び上板１１４の他方（図１６において左側）のフラップ片１１６、１１８を内側に折り曲げて各板１１１、１１４の内面（図１６の裏面）に適宜に貼着して補強を行う。
この状態で、底板１１１に対して各折り目線ｒを介して側板１１３、上板１１４、側板１１５を順々に山折りし、糊片１１２を側板１１５の裏面に貼着して底板１１１、側板１１３、上板１１４、側板１１５からなる四角筒状体とする（図１４、図１５参照）。この後、両側板１１３、１１５のフラップ片１１７、１１９を内側に折り曲げ、その上に底板１１１の同フラップ片１１６を内側に折り曲げて舌片１１６ａを上板１１４の内側に挿入し、さらに、上板１１４の同フラップ片１１８を重ねる（図２０（ａ）参照）。各フラップ片１１６、１１７、１１８、１１９の間は適宜に貼着して相互に一体とする。
【００３１】
内箱１２０は、図１７に示すボール紙製ブランク１２０’から形成し、底板１２１の両長辺側縁に、外側板１２２、１２２、上板１２２ａ、１２２ａ、内側板１２３、１２３、舌片１２４、１２４をそれぞれ折り目線ｒを介して連接している。内側板１２３には、切り込みによって透孔１２４ａが形成されている。底板１２１の短辺側には、外側端板１２５、１２５、上側端板１２６ａ、１２６ａ及び内側端板１２６、１２６をそれぞれ折り目線ｒを介して連接し、内側板１２３の短辺側には、フラップ片１２７を折り目線ｒを介してそれぞれ連接している。外側板１２２の短辺側と底板１２１の外側端板１２５の側縁の間は折り目線ｒを介して襠片１２８を設けている。各端板１２５、１２６には折り目線ｒに沿うスリット（案内孔）５２をそれぞれ形成している。外側端板１２６の先端縁には舌片１２６ｂを折り目線ｒを介して連接している。
【００３２】
この構成のブランク１２０’は、まず、底板１２１に対して各折り目線ｒを介して側板１２２、１２２、１２３、１２３、舌片１２４、１２４を順々に谷折り又は山折りして四角箱状とし、続いて、両端のフラップ片１２７、１２７を内側に折り、その一方のフラップ片１２７は噛み合わせる（図６（ａ）参照）。
つぎに、襠片１２８を中程の折り目線ｒを介して重ね折りしつつ外側端板１２５、１２５を立ち上げ（谷折りし）、さらに上側端板１２６ａ、内側端板１２６を内側に折り曲げて、上面開口の四角状の内箱１２０を形成する。舌片１２４、１２６ｂ等は底板１２１に適宜に貼着する。このとき、端板１２５、１２６のスリット（案内孔）５２は同一位置にあって可撓性材５０が挿通して移動自在となり、外箱１１０に内箱１２０を差し込んだ際、このスリット５２と外箱１０のスリット５１は対向する（図２０（ａ）参照）。
【００３３】
起伏部材１４０を図１８に示し、図１９に示すブランクからなり、底板１５０、支持板１６０、両区画片１７０、１８０及びカバー１９０を有している。
底板１５０はボール紙製で、図１９（ａ）に示すように、内箱１２０内に嵌る幅ｔを有する四角状の基板１５１と、その両縁に折り目線ｒを介して側板１５２を連接したものであり、その一側部に五角形状の透孔（嵌合孔）１５３が左右（同図において上下）に形成されている。この底板１５０は、その側板１５２を折り目線ｒを介して谷折りして立ち上げ、折り目線ｒ上の突片１５４を内箱１２０の内側板１２３の透孔１２４ａに差し込むことによって内箱１２０内にセットする。
【００３４】
支持板１６０はボール紙製で、図１９（ｂ）に示すように、四角状の基板１６１と、その縁に折り目線ｒを介して連接された起立片１６２とからなる。起立片１６２は中程幅方向に折り目線ｒが形成されて、基板１６１から折り目線ｒを介して起立され、さらにその先端部が折り目線ｒを介して山折りされて、基板１６１に対し断面Ｌ字状に起立する（図１５参照）。基板１６１には、側部と中央部にそれぞれ四角状等の透孔１６３、１６４、１６４ａが形成され、起立片１６２にも同様な透孔１６５が形成されている。
【００３５】
一方の区画片１７０はボール紙製で、図１９（ｃ）に示すように、幅広部１７１と幅狭部１７２を交互に折り目線ｒを介して連接したものである。幅狭部１７２を折り目線ｒを介して下向きコ字状に起立させ、その起立した区画壁を支持板１６０の透孔１６４にその裏面から嵌めるとともに、係止片１７３を隣接する区画壁の側面に沿った透孔１６４ａに嵌める。基板１６１の裏面に沿う幅広部１７２は基板１６１に適宜に貼着する。
他方の区画片１８０は透明プラスチック板製で、図１９（ｄ）に示すように、基板１８１の両側縁に起立片１８２を折り目線ｒを介して連接しており、基板１８１に対し折り目線ｒを介して起立させる。その起立させた起立片１８２を支持板１６０の基板１６１の透孔１６３にその裏面から差し込むとともに、起立片１８２の係止片１８３を支持板１６０の起立片１６２の透孔１６５に差し込んで、この区画片１８０を支持板１６０に取り付ける。
【００３６】
カバー１９０は透明プラスチック板製で、図１９（ｅ）に示すように、基板１９１の側縁に側板１９２、蓋板１９３、側板１９４、糊片１９５を折り目線ｒを介して連接している。蓋板１９３の下縁（同図において左側）には端板１９６、フラップ片１９７を折り目線ｒを介して連接している。基板１９１、側板１９２、１９４の下縁にもフラップ片１９８、１９９を折り目線ｒを介して連接している。
このカバー１９０は、基板１９１に対して側板１９２、蓋板１９３、側板１９４を折り目線ｒを介して谷折りして扁平四角箱状とするとともに（図１５参照）、糊片１９５を基板１９１の側縁裏面に貼着する（その貼着部分は鎖線で囲まれた部分ｓ）。
【００３７】
この実施形態の組箱Ｐ２は以上の構成であり、まず、図１５に示すように、外箱１１０、内箱１２０、起伏部材１４０の底板１５０、同支持板１６０、同区画片１７０、１８０、同カバー１９０をそれぞれ組み立てる。そのカバー１９０に、起立片１７０、１８０を嵌めた支持板１６０を嵌め込んで適宜に貼着して一体とする（その貼着部分は図１９（ｂ）の鎖線で囲まれた部分ｓ等）。
つぎに、その支持板１６０が一体となったカバー１９０を、底板１５０にフラップ片１９８を透孔１５３に差し込んでそのフラップ片１９８を底板１５０の裏面に貼着する（その貼着部分は図１９（ｅ）の鎖線で囲まれた部分ｓ）。このフラップ片１９８の底板１５０への貼着により、フラップ片１９８の折り目線ｒを介して、底板１５０に対しカバー１９０が上下方向に起伏する。すなわち、底板１５０、支持板１６０、両区画片１７０、１８０及びカバー１９０からなる起伏部材１４０が組み立てられ、その起伏部材１４０は支点ａ（図２０（ａ）参照）でもって起伏する。
【００３８】
この起伏部材１４０の底板１５０下面に沿って可撓性フィルム５０の一端がその先端まで導かれ、その一端をカバー１９０の端板１９６先端の透孔１９６ａを介してその内面に貼着する。一方、その貼着した可撓性フィルム５０は底板１５０の縁の切欠き１５５からその裏面に導く。
この状態で、起伏部材１４０を内箱１２０内に装填し、その底板１５０を内箱底面に貼着（固定）するとともに、底板１５０の裏面のフィルム５０の他端を内箱１２０の後壁（端板１２５、１２６）の案内孔５２に通して内箱１２０から突出させる。この状態でさらに内箱１２０を外箱１１０のその前面開口から差し込むとともに、前記フィルム５０の他端を外箱１１０の舌片１１６ａ等から成る後壁の透孔（スリット）５１に通して外箱１１０の舌片１１６ａ、フラップ片１１６、１１８の間に導いてそれらからなる後壁に貼着固定する（図２０（ａ）参照）。
このとき、後述の内箱１２０の外箱１１０からの引き出しに伴って起伏部材１４０が所要の角度、例えば、θ＝４５度、傾くように、内箱１２０の後壁と外箱１１０の後壁の間に可撓性材５０の弛みが生じるように、実験などによって可撓性材５０の長さを適宜に設定する（図２２、図２３参照）。
【００３９】
この実施形態の組箱Ｐ２は、以上のように組み立てられ、内箱１２０を外箱１１０から引き出した状態で、化粧品等の商品Ａを起伏部材１４０の支持板１６０に区画片１７０、１８０を介して載置する（設ける）。
この状態で、内箱１２０を外箱１１０内に押し込めば（没入すれば）、図１４、図２０に示すように、商品Ａがその自重又は人手によって起伏部材１４０と共に倒伏して内箱１２０内に納まる（包装された状態となる）。
【００４０】
この組箱Ｐ２は、その包装された図１４の状態から、外箱側板１１３、１１５の端縁切欠き１１３ａ、１１５ａから露出した内箱１２０側面を掴んで、内箱１２０を外箱１１０から引き出すと、その内箱１２０の引き出しにつれて可撓性材５０が引かれ、起伏部材１４０がその底板１５０の基板１５１の前縁（カバー１９０のフラップ片１９７の折り曲げ縁）を支点ａとして上向きに揺動（起立）する。この起立に伴って商品Ａは上向き傾斜状態となる。
すなわち、図２１、図２２に示すように、内箱１２０に収納された商品Ａは上向き傾斜状態となって、内箱１２０を引き出した者に迫ってくるため、その驚きとともに、その商品Ａの高級感を醸し出す。
また、この実施形態の組箱Ｐ２は、起伏部材１４０を起立させた状態においても、内箱１２０が外箱１１０から少し出るように可撓性材５０の長さが設定されているため、図２３に示すように、外箱１１０を内箱１２０に対して折り返して重ねることができる。このため、この状態においても展示が可能である。
【００４１】
［実施形態３］
この発明に係わる組箱のさらに他の実施形態（第３実施形態）を図２４〜図３２に示し、この組箱Ｐ３は、上記と同様に、扁平四角筒状の外箱２１０と、その外箱２１０内に筒軸方向出没可能に納まる四角状の内箱２２０と、内箱２２０内の後側に固定した四角箱状起伏部材２４０と、内箱２２０の後壁に設けた案内孔５２と、前記起伏部材２４０から外箱２１０の後壁に固定された可撓性材５０とを有する。
【００４２】
外箱２１０は、図２６に示すボール紙製ブランク２１０’から形成し、底板２１１の一側縁（図２６において下側縁）に糊片２１２を、同他側縁に側板２１３、上板２１４、側板２１５をそれぞれ折り目線ｒを介して連接している。各板２１１、２１３、２１４、２１５の端縁にはフラップ片２１６、２１７、２１８、２１９をそれぞれ折り目線ｒを介して連接している。底板２１１の一方（図２６において右側）のフラップ片２１６にはスリット（透孔）５１を形成し、そのフラップ片２１６の先端縁に舌片２１６ａを連接している。
【００４３】
この構成のブランク２１０’は、まず底板２１１及び上板２１４の他方（図２６において左側）のフラップ片２１６、２１８を内側に折り曲げて各板２１１、２１４の内面（図２６の裏面）に貼着して補強を行う。
この状態で、底板２１１に対して各折り目線ｒを介して側板２１３、上板２１４、側板２１５を順々に山折りし、糊片２１２を側板２１５の裏面に貼着して底板２１１、側板２１３、上板２１４、側板２１５からなる四角筒状体とする（図２５参照）。この後、両側板２１３、２１５のフラップ片２１７、２１９を内側に折り曲げ、その上に底板２１１のフラップ片２１６を内側に折り曲げて重ね、さらに舌片２１６ａを内側に折り曲げて上板２１４の内側に挿入し、さらに、上板２１４のフラップ片２１８を前記フラップ片２１６に重ねる（図２９参照）。各フラップ片２１６、２１７、２１８、２１９の間は適宜に貼着して相互に一体とする（図２６の鎖線部分ｓが貼着部分）。
【００４４】
内箱２２０は、図２７に示すボール紙製ブランク２２０’から形成し、底板２２１の両長辺側縁に、外側板２２２、２２２、上側端板２２３ａ、２２３ａ、内側板２２３、２２３、舌片２２４、２２４をそれぞれ折り目線ｒを介して連接している。内側板２２３には、切り込みによって透孔２２４ａが形成されている。底板２２１の短辺側には、外側端板２２５、２２５、上側端板２２６ａ、２２６ａ及び内側端板２２６、２２６をそれぞれ折り目線ｒを介して連接し、内側板２２３の短辺側には、フラップ片２２７をそれぞれ折り目線ｒを介してそれぞれ連接している。底板２２１の外側板２２２の短辺側と同外側端板２２５の側縁の間は折り目線ｒを介して襠片２２８を設けている。各端板２２５、２２６及びフラップ片２２７にはスリット（案内孔）５２をそれぞれ形成している。内側端板２２６の先端縁には舌片２２６ｂを折り目線ｒを介して連接している。
【００４５】
この構成のブランク２２０’は、まず、底板２２１に対して各折り目線ｒを介して側板２２２、２２２、２２３、２２３、舌片２２４、２２４を順々に谷折り又は山折りして四角箱状とし、続いて、両端のフラップ片２２７、２２７を噛み合わせる（図６（ａ）参照）。つぎに、襠片２２８を中程の折り目線ｒを介して重ね折りしつつ外側端板２２５、２２５を立ち上げ（谷折りし）、さらに内側端板２２６を内側に折り曲げて、上面開口の四角状箱を形成する（図２５参照）。舌片２２４、２２６ｂ等は底板２２１に適宜に貼着する。このとき、端板２２６及びフラップ片２２７のスリッ５２は同一位置にあって可撓性材５０が挿通して移動自在となる（図２９参照）。
【００４６】
起伏部材２４０は図２８に示すボール紙製ブランク２４０’から形成し、底板２４１の両側端（同図において上下側縁）に起立片２４２ａ、２４２ｂが折り目線ｒを介して連接され、その一方の起立片２４２ａの上端に透孔（スリット）５３を設けた折り目線ｒを介して舌片２４３が連接され、他方の起立片２４２ｂの下縁に折り目線ｒを介して昇降板２４４が連接されている。
この起伏部材２４０は、同図のブランク２４０’から、底板２４１に対して起立片２４２ｂ、昇降板２４４、起立片２４２ａ、舌片２４３を順々に谷折りして四角状とし、舌片２４３は昇降板２４４の裏面に貼着（固定）する。この貼着した四角筒状の起伏部材２４０は、昇降板２４４の両側端に起立片２４２ａ、２４２ｂが起伏自在に設けられた態様となる。起立片２４２ａ、２４２ｂの長さ（図２８の上下方向）及び前記貼着を昇降板２４４の長さ方向（同上下方向）の適宜な位置に選択することによって、昇降板２４４の傾きが決定される。この実施形態においては、起立片２４２ａ、２４２ｂが起立して、昇降板２４４、起立片２４２ａ、２４２ｂ及び底板２４１が重なり合うように、舌片２４３が昇降板２４４の裏面位置に貼着されている。
【００４７】
この実施形態の組箱Ｐ３は以上の構成であり、まず、図２５に示すように、外箱２１０、内箱２２０、起伏部材２４０を組み立てる。
つぎに、起伏部材２４０の舌片２４３の裏面に透孔５３を介して可撓性フィルム５０の一端を導いて貼着（固定）する（その貼着位置を図２８の鎖線部分ｓで示す）。このフィルム５０の貼着は起立片２４２ａ、２４２ｂ又は昇降板２４４でも良い。
このフィルム５０付の起伏部材２４０を内箱２２０内に嵌める。このとき、フィルム５０の他端は内箱２２０の後壁（内側端板２２６及びフラップ片２２７）の両案内孔５２、５２に通すとともに、同外側端板２２５の案内孔５２に通す。また、起伏部材２４０の底板２４１の突片２４１ａを内箱２２０の内側板２２３の透孔２２４ａに差し込むことによって内箱１２０内に装填（セット）する。
そのセットと共に、内箱２２０から突出した可撓性フィルム５０の他端を外箱２１０の透孔５１に通して外部に突出させる。
【００４８】
この状態で、さらに内箱２２０を外箱２１０のその前面開口から差し込むとともに、透孔５１から突出したフィルム５０の他端を外箱２１０のフラップ片２１６、２１８の間に導いて貼着固定する（図２９参照）。
このとき、後述の内箱２２０の外箱２１０からの引き出しに伴って起伏部材２４０の昇降板２４４が所要の角度、例えば、θ＝２〜３度、傾き、内箱２２０の後壁と外箱２２０の後壁の間に可撓性材５０の弛みが生じるように、実験などによって可撓性材５０の長さを適宜に設定する。この実施形態においては、内箱２２０の後壁内（内側端板２２６、フラップ片２２７と外側端板２２５の間）にその弛みの多くを形成している。
【００４９】
この実施形態の組箱Ｐ３は、以上のように組み立てられ、内箱２２０を外箱２１０から引き出した状態（図３０参照）で、化粧品等の棒状商品Ａを起伏部材２４０の昇降板２４４に、図１５記載の支持板１６０等などでもって商品Ａを載置する（設ける）。この実施形態においては、支持板１６０の起立片１６２等を削除した基板１６１としている。
この状態で、内箱２２０を外箱２１０内に押し込めば（没入すれば）、図２４、図２９に示すように、商品Ａがその自重又は人手によって起伏部材２４０と共に倒伏して内箱２２０内に納まる（包装された状態となる）。
【００５０】
この組箱Ｐ３は、その包装された図２４、図２９の状態から、外箱側板２１３、２１５の端縁切欠き２１３ａ、２１５ａから露出した内箱２２０側面を掴んで、内箱２２０を外箱２１０から引き出すと、その内箱２２０の引き出しにつれて可撓性材５０が引かれ、起伏部材２４０の起立片２４２ａ、２４２ｂが起立して昇降板２４４がせり上がる。
すなわち、図３１に示すように、内箱２２０に収納された商品Ａは上向き傾斜状態又は水平状態で持ち上がって、内箱２２０を引き出した者に迫ってくるため、その驚きとともに、その商品Ａの高級感を醸し出す。
【００５１】
また、この実施形態の組箱Ｐ３は、起伏部材２４０を起立させた状態においても、内箱２２０が外箱２１０から少し出るように可撓性材５０の長さが設定されているため、図３２（ａ）に示すように、外箱２１０を内箱２２０に対して折り返して重ねることができる。このため、この状態においても展示が可能であり、さらに、同図（ｂ）に示すように、外箱２１０、内箱２２０を重ねた状態において立てて展示することもできる。
さらに、この実施形態は、図３２（ｃ）に示すように、内箱２２０から商品Ａを突出したせり出す状態とし得る。このとき、昇降板２４４（商品Ａ）は上向き傾斜状態（傾斜角度θ）となり、可撓性材５０の長さをそのようになるように設定することは勿論である。
【００５２】
以上の通り、この発明に係る組箱Ｐ１〜Ｐ３は、内箱２０、１２０、２２０に収納された商品Ａが内箱の引き出しに伴って上向き傾斜状態等となって、内箱を引き出した者に迫ってくるため、その驚きとともに、その商品Ａの高級感を醸し出す。このため、商品Ａが、口紅やスプレー式香水等の高級感を醸し出す必要があるものにおいて有効な展示方法となる。例えば、ヒト幹細胞培養液（例えば、商品名：プロケアリバーサーセラム）等の高価な化粧品に有効である。
【００５３】
なお、この発明に係る組箱Ｐ１、Ｐ２、Ｐ３の材料は、ボール紙に限らず、プラスチック板、ダンボール紙等の種々のものを採用できることは勿論である。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００５４】
１０、１１０、２１０  外箱
１１、１１１、２１１  外箱の底板
２０、１２０、２２０  内箱
３０  受け座
４０、１４０、２４０  起伏部材
４１、１９６  起伏部材の前面壁（前壁）
５０  可撓性材（テープ状樹脂フィルム）
５１、５２、５３  可撓性材の貫通スリット（案内孔）
１５５  内箱透孔
２４４  起伏部材の昇降板
２４２ａ、２４２ｂ  同起立片
Ａ  商品
Ｐ１、Ｐ２、Ｐ３  組箱
ａ  起伏部材の起伏支点（下縁）
ｒ  折り目線（切り目線）
【手続補正２】
【補正対象書類名】特許請求の範囲
【補正対象項目名】全文
【補正方法】変更
【補正の内容】
【特許請求の範囲】
【請求項１】
四角筒状で筒軸方向一面が閉塞され、他面が開口となった外箱（１０、１１０、２１０）と、その外箱内に前記開口から前記筒軸方向出没可能に納めた上面開口の四角状の内箱（２０、１２０、２２０）と、前記内箱内の底面に設けた起伏部材（４０、１４０、２４０）と、前記内箱の後壁に設けた案内孔（５２）と、前記起伏部材から前記案内孔（５２）を介して外箱の後壁に固定された可撓性材（５０）とを有し、
上記起伏部材に商品（Ａ）が設けられて、上記内箱を外箱から引き出すと、上記可撓性材でもって起伏部材が起伏する組箱。
【請求項２】
上記起伏部材（４０）は四角箱体で、その前面壁（４１）又は後面壁（４６）の下縁（ａ）で上下方向に起伏自在に固定され、上記可撓性材（５０）は上記外箱（１０）の後壁に固定され、
上記内箱（２０）を外箱（１０）から引き出すと、上記可撓性材（５０）でもって起伏部材（４０）が引かれて上記下縁（ａ）を支点として起立し、その起立に伴って商品（Ａ）が斜め上方に持ちあげられることを特徴とする請求項１に記載の組箱。
【請求項３】
上記商品（Ａ）が棒状であり、上記起伏部材（４０）は、その前面壁（４１）でもって前記棒状商品（Ａ）の後部をその軸心を不動に支持し、
上記内箱（２０）内の前側に受け座（３０）を設け、その受け座（３０）は、上記棒状商品（Ａ）の前部を接離自在に支持する請求項２に記載の組箱。
【請求項４】
上記受け座（３０）は、内箱（２０）の底面に固定された基板（３１）と、その基板前縁から斜め上方に立ち上がった支持板（３２）と、その支持板（３２）の上縁から内箱（２０）の底面に至る支え板（３３）とからなり、前記支持板（３２）に棒状商品（Ａ）の前部の受け孔（３８）が形成されている請求項３に記載の組箱。
【請求項５】
上記起伏部材（４０）は、側面台形の四角箱体であって、その底板（４２）の前縁が内箱（２０）の内底面に固定されて、前面壁（４１）に棒状商品（Ａ）の後部の支持孔（４１ａ）が形成されている請求項２乃至４の何れか一つに記載の組箱。
【請求項６】
上記起伏部材（１４０）は、内箱（１２０）の底面前側固定点（ａ）で上下方向に起伏自在となっており、上記可撓性材（５０）は、外箱（１１０）の固定点から、上記案内孔（５２）を通って内箱（１２０）内に至り、前記起伏部材（１４０）の内箱（１２０）の底面前側固定点（ａ）より前側の内箱の透孔（１５５）から起伏部材（１４０）の前壁（１９６）に固定されている請求項１に記載の組箱。
【請求項７】
上記起伏部材（２４０）は、昇降板（２４４）の両側端に起立片（２４２ａ、２４２ｂ）が上記内箱（２２０）内底面に向かってそれぞれ設けられて、その両起立片（２４２ａ、２４２ｂ）の先端は前記内箱（２２０）の内底面に固定されており、
上記可撓性材（５０）は、外箱（２１０）の固定点から上記案内孔（５２）を貫通した後、前記昇降板（２４４）又は起立片（２４２ａ、２４２ｂ）に至って固定されており、
上記内箱（２２０）が外箱（２１０）から引き出されると、上記可撓性材（５０）が外箱（２１０）側に引かれ、その引かれに伴って起伏部材（２４０）の両起立片（２４２ａ、２４２ｂ）が起立し、上記昇降板（２４４）が両側端の起立片（２４２ａ、２４２ｂ）の起立に伴い上昇することを特徴とする請求項１に記載の組箱。
【請求項８】
上記可撓性材がテープ状樹脂フィルム（５０）からなる請求項１乃至７の何れか一つに記載の組箱。
【手続補正３】
【補正対象書類名】図面
【補正対象項目名】図２６
【補正方法】変更
【補正の内容】
【図２６】
2020050440.tif 000035